(57)【要約】マーケッティング調査や、種々のコンテストやコンクールに活用可能なコンテスト方法およびシステムを提供する。コンテストサーバー８に応募条件を公開し、それに対してインターネット検索用ブラウザを備え且つ画像情報を送信可能な携帯電話５からパケット通信網２とｉモードセンタ３とインターネット通信網４を介して応募してきたコンテスト対象をコンテストサーバー８からインターネットに公開し、携帯電話から投票された投票情報をコンテストサーバーで受信し、その受信した投票情報に基づいて複数のコンテスト対象に順位付けを行う。但し、コンテスト対象は、応募によらずに、マーケッティング調査に供する商品等の画像情報をコンテストサーバー８に予め準備しておいてもよい。
2002091259.tif 000002
【特許請求の範囲】
【請求項１】
ＷＷＷサーバーとして機能するコンテストサーバーからインターネットに公開した複数のコンテスト対象についてコンテストを行う方法であって、
前記複数のコンテスト対象の画像の画像情報とその識別情報を対応付けてコンテストサーバーに格納し、少なくとも前記画像情報をインターネットに公開する第１ステップと、
前記コンテストサーバーから公開された前記の複数のコンテスト対象に対して、インターネット検索用ブラウザを備えた携帯電話から投票された投票情報を前記コンテストサーバーで受信し、その受信した投票情報に基づいて複数のコンテスト対象に順位付けを行なう第２ステップと、
を備えたことを特徴とするコンテスト方法。
【請求項２】
請求の範囲第１項のコンテスト方法において、
前記第２ステップにおいて、前記投票の投票期間経過前から複数回にわたって順位付けを行い、各回の順位付けの内少なくとも上位の１又は複数の順位をコンテストサーバーに格納し、インターネットに公開することを特徴とするコンテスト方法。
【請求項３】
インターネット検索用ブラウザを備え且つ画像情報を送信可能な携帯電話から応募してくる複数のコンテスト対象についてコンテストを行う方法であって、
前記コンテスト対象が充足すべき条件と応募期間を含む応募条件を、ＷＷＷサーバーとして機能するコンテストサーバーから公開する第１ステップと、
前記携帯電話からインターネットを介して応募してきたコンテスト対象の画像の画像情報とその識別情報を含む応募情報をコンテストサーバーに格納し、応募情報の内の少なくとも画像情報を含む一部をインターネットに公開する第２ステップと、
前記コンテストサーバーからインターネットに公開されたコンテスト対象に対して、インターネット検索用ブラウザを備えた携帯電話から投票された投票情報を前記コンテストサーバーで受信し、その受信した投票情報に基づいて複数のコンテスト対象に順位付けを行なう第３ステップと、
を有することを特徴とするコンテスト方法。
【請求項４】
請求の範囲第３項のコンテスト方法において、
前記投票の投票期間経過前から第３ステップの順位付けを複数回実行し、各回の順位付けの都度、少なくとも上位の１つ又は複数の順位をコンテストサーバーに格納し、インターネットに公開することを特徴とするコンテスト方法。
【請求項５】
請求の範囲第４項のコンテスト方法において、
前記第２ステップと第３ステップとをほぼ並行的に行うことを特徴とするコンテスト方法。
【請求項６】
請求の範囲第３項のコンテスト方法において、
前記応募情報はコンテスト対象が属する地区を示す地区情報を含み、前記コンテストは、複数の地区別に行う複数の１次予選コンテストから順々に、予選コンテストの上位順位者を対象としてトーナメント方式のように実行される複数段階の予選コンテストを含むことを特徴とするコンテスト方法。
【請求項７】
請求の範囲第６項のコンテスト方法において、
前記１次予選コンテスト以外の予選コンテストにおいては、予選コンテストにおける上位順位者を対象として第２ステップと第３ステップを行うことを特徴とするコンテスト方法。
【請求項８】
請求の範囲第３項〜第７項の何れかのコンテスト方法において、
前記コンテスト対象が充足すべき条件は、性別、年齢、職業、大学生、高校生、中学性、趣味、スポーツ、のうちの１又は複数の項目を用いて設定されることを特徴とするコンテスト方法。
【請求項９】
請求の範囲第３項〜第７項の何れかのコンテスト方法において、
前記応募情報は、コンテスト対象の住所、氏名、年齢、職業の情報を含むことを特徴とするコンテスト方法。
【請求項１０】
請求の範囲第３項〜第７項の何れかのコンテスト方法において、
前記コンテスト対象が女性と男性の何れか一方であり、第２ステップの応募情報は、コンテスト対象が発する音声の音声情報を含むことを特徴とするコンテスト方法。
【請求項１１】
請求の範囲第３項〜第７項のコンテスト方法において、
前記コンテスト対象がペットである犬と猫の何れか一方であることを特徴とするコンテスト方法。
【請求項１２】
ＷＷＷサーバーとして機能するコンテストサーバーを有し、インターネット検索用ブラウザを備え且つ画像情報を送信可能な携帯電話から応募してくる複数のコンテスト対象についてコンテストを行うコンテストシステムであって、
前記コンテストサーバーは、
前記コンテスト対象が充足すべき条件と応募期間を含む応募条件を格納してインターネットに公開する応募条件公開手段と、
前記携帯電話からインターネットを介して応募してくるコンテスト対象の画像の画像情報とその識別情報を含む応募情報を格納してインターネットに公開する応募情報格納手段と、
前記応募情報格納手段によりインターネットに公開されたコンテスト対象に対して、インターネット検索用ブラウザを備えた携帯電話から投票された投票情報を受信し、その受信した投票情報に基づいて複数のコンテスト対象について順位付けを行なう順位付け手段と、
を備えたことを特徴とするコンテストシステム。
【請求項１３】
請求の範囲第１２項のコンテストシステムにおいて、
前記コンテストサーバーは、前記順位付け手段による順位付けのうち、少なくとも上位の１つ又は複数の順位を格納してインターネットに公開することを特徴とするコンテストシステム。
【発明の詳細な説明】
技術分野
本発明は、インターネットにアクセス可能な多数の携帯電話からの投票情報とに基づいて種々のコンテストを行う方法、インターネットにアクセス可能で且つ画像情報を送信可能な多数の携帯電話からの応募情報と、インターネットにアクセス可能な携帯電話からの投票情報とに基づいてコンテストを行うコンテスト方法及びコンテストシステムに関するものである。
背景技術
今や、インターネットの通信網に、多数の種々のサイトを提供するサーバーが接続され、このインターネット通信網に接続したコンピュータから種々のサーバーを検索することで、あらゆる種類の情報を入手可能になってきた。
一方、日本のＮＴＴドコモが開発したｉモード（登録商標）付き携帯電話システムは、インターネット検索用ブラウザを備えた携帯電話と、携帯電話との間で情報を送受信するパケット通信網と、このパケット通信網に接続され且つインターネット通信網に接続されたｉモードセンタなどを有する。インターネット通信網には種々の携帯電話用サイトなどが開設されている。携帯電話用サイトのコンテンツは、ＨＴＭＬをコンパクトにしたｉモード対応ＨＴＭＬにて記述されている。前記ｉモードセンタは、ルーティング機能、アクセス管理機能、データ変換機能、通話料やショッピング代金に対して課金する課金機能を有する。携帯電話は、パケット通信網とｉモードセンタを介してインターネット通信網に接続され、携帯電話に組み込まれたインターネット検索用ブラウザにより種々のサイトに対してアクセス可能となっている。
携帯電話用の種々のサイトにアクセスすることにより、種々のニュース、天気予報、映画や歌舞伎やライブなどのアミューズメント情報、ショッピングモール情報、バンキング情報、種々のチケット購入などが可能になって来た。その他、例えば、特開平２００１−４３９１号公報に示すように、携帯電話に対して地図情報を提供するサイトも運営されている。或いは、ファクシミリ装置からサーバーに種々のイメージ情報を送信してインターネット上に公開し、購買者の商品選択に供するシステムも実用化されている。
他方、ＮＴＴドコモのｉモード付き携帯電話システムと同様の機能を奏する携帯電話システムとして、例えば、Ｊ−フォンの「Ｊ−ＳＫＹ」、ＤＤＩセルラーなどの「ＥＺｗｅｂ」などがあり、これら携帯電話システムに適合させたインターネット上の種々のサイトも開設されつつある。また、欧州のノキアやエリクソンが開発中の携帯電話システムとしてＷＡＰなどのシステムもある。
また、インターネット検索用ブラウザを備えた携帯電話であって、ディジタルカメラ付きの携帯電話やディジタルカメラを接続可能な携帯電話も普及しつつある。そのディジタルカメラで撮影した画像情報を携帯電話からインターネット通信網へ送信可能である。
ここで、従来から美人コンテスト、ペットコンテストなどの種々のコンテストが行なわれているが、ディジタルカメラ付きの携帯電話やディジタルカメラを接続可能な携帯電話が最近まで存在してなかったため、従来のコンテストでは、インターネットにアクセス可能な携帯電話は活用されていない。
従来の例えば、「ミス日本」を決定する美人コンテストの場合、日本全国の多数の地区において１次予選を行い、それら１次予選を勝ち抜いた候補者を対象として複数段階の予選を行い、最終的に約２０名程の最終候補者を選出し、最終審査において最終候補者の中から１名のミス日本を決定することになるので、コンテストに多大の費用と長い期間がかかる。しかも、コンテストの審査員は、特定の分野や職業の少数の審査員であるので、一般の多数の市民が審査した場合と異なる審査結果となるケースが多い。
他方、インターネット通信網とこの通信網に接続されたサーバーと、多数のユーザー側のコンピュータからの応募や投票を用いて行うコンテストも提案されているようである。しかし、コンピュータから画像情報を送信する為には、ディジタルカメラ又はスキャナー等が必要であり、コンピュータの他にそれらの機器を有するユーザー人口がさほど多くなく、特に中学生や高校生の参加を殆ど期待できなくなるため、多数の市民からの応募に対して、多数の市民からの投票に基づいて大規模のコンテストを行うことは到底不可能である。
他方、従来から発売予定の商品のマーケッティング調査を行う場合に、マーケッティング対象の商品の画像をサーバーからインターネットに公開し、インターネットとこのインターネットにアクセス可能な携帯電話を用いて、簡単に経済的にマーケッティング調査を行う技術も何等提案されていない。
本発明の目的は、インターネット検索用ブラウザを備えた携帯電話とインターネットとを活用した簡単で経済性に優れるコンテスト方法やシステムを提供すること、携帯電話から送信するコンテスト対象の画像情報を活用して行うコンテスト方法やシステムを提供すること、コンテストに多数の市民が応募できるようなコンテスト方法やシステムを提供すること、コンテストの審査を多数の市民により行うことのできるコンテスト方法やシステムを提供することである。
発明の開示
本発明に係るコンテスト方法は、ＷＷＷサーバーとして機能するコンテストサーバーからインターネットに公開した複数のコンテスト対象についてコンテストを行う方法であって、前記複数のコンテスト対象の画像の画像情報とその識別情報を対応付けてコンテストサーバーに格納し、少なくとも前記画像情報をインターネットに公開する第１ステップと、前記コンテストサーバーから公開された前記の複数のコンテスト対象に対して、インターネット検索用ブラウザを備えた携帯電話から投票された投票情報を前記コンテストサーバーで受信し、その受信した投票情報に基づいて複数のコンテスト対象に順位付けを行なう第２ステップとを備えたことを特徴とするものである。
前記コンテスト対象とは、コンテストにかける対象のことである。
この発明では、応募によらずにコンテストサーバーに予め格納したコンテスト対象、又は、携帯電話から応募して来たものの内から所定の基準で選出されてコンテストサーバーに予め格納されたコンテスト対象が、コンテスト対象となる。
このコンテスト方法は、発売中又は発売予定の種々の商品、商品宣伝用の女性又は男性のキャンペーンキャラクタ、歌手、テレビドラマの新人俳優、美人コンテスト応募者、タレント、ニュースキャスター、政治家、教師や教授、などについての人気投票を行うのに好適のコンテスト方法である。
つまり、マーケッティグ調査の為のコンテストでは、発売中又は発売予定の種々の商品がコンテスト対象となり、商品宣伝用のキャンペーンキャラクタを選定するコンテストでは、複数のキャンペーンキャラクタがコンテスト対象となる。上記のその他の者についても同様である。
最初に、複数のコンテスト対象の画像の画像情報とその識別情報を対応付けてコンテストサーバーに格納し、少なくとも前記画像情報をインターネットに公開する。次に、前記のように公開された複数のコンテスト対象に対して、インターネット検索用ブラウザを備えた携帯電話から投票された投票情報をコンテストサーバーで受信し、その受信した投票情報に基づいて複数のコンテスト対象に順位付けを行なう。
こうして、多数の一般の市民にとって好ましい優れたコンテスト対象を簡単に経済的に短期間に決定することができる。但し、コンテストサーバーから公開した投票条件を充足する人にのみ投票を許可してもよいし、投票条件をつけることなく一般市民に投票を許可してもよい。
ここで、前記第２ステップにおいて、前記投票の投票期間経過前から複数回にわたって順位付けを行い、各回の順位付けの内少なくとも上位の１又は複数の順位をコンテストサーバーに格納し、インターネットに公開してもよい。この場合、順位付けをインターネットに公開するため、応募者や投票者にとって興味深いものとなる。
本発明に係る別のコンテスト方法は、インターネット検索用ブラウザを備え且つ画像情報を送信可能な携帯電話から応募してくる複数のコンテスト対象についてコンテストを行う方法であって、前記コンテスト対象が充足すべき条件と応募期間を含む応募条件を、ＷＷＷサーバーとして機能するコンテストサーバーから公開する第１ステップと、前記携帯電話からインターネットを介して応募してきたコンテスト対象の画像の画像情報とその識別情報を含む応募情報をコンテストサーバーに格納し、応募情報の内の少なくとも画像情報を含む一部をインターネットに公開する第２ステップと、前記コンテストサーバーからインターネットに公開されたコンテスト対象に対して、インターネット検索用ブラウザを備えた携帯電話から投票された投票情報を前記コンテストサーバーで受信し、その受信した投票情報に基づいて複数のコンテスト対象に順位付けを行なう第３ステップとを有することを特徴とするものである。
この発明においては、携帯電話とインターネットを介して応募して来るものがコンテスト対象となる。美人コンテスト、人気者コンテスト、商品宣伝用キャンペーンキャラクタコンテスト、犬や猫などを対象とするペットコンテスト、種々の作品コンテストなどの種々のコンテストに、本発明を適用することができる。
コンテストサーバーからインターネットに応募条件を公開すると、この応募条件を見た多数の応募者が応募する。この場合、応募者はコンテスト対象の画像の画像情報とその識別情報を含む応募情報を、携帯電話からインターネットを介してコンテストサーバーへ送信する。
コンテストサーバーは、応募情報を格納し、応募情報のうちの少なくとも画像情報を含む一部をインターネットに公開する。すると、その公開された応募情報を携帯電話で見た者から、携帯電話による投票が行われるので、その投票情報をコンテストサーバーで受信し、その受信した投票情報に基づいて複数のコンテスト対象に順位付けを行なう。
このコンテスト方法によれば、多数の市民からコンテスト対象を募集することができるため、多数のコンテスト対象の中から優れたコンテスト対象を選択することができる。しかも、多数の一般市民による投票を介して、彼らの目から見て優れた好ましいコンテスト対象を選ぶことができる。
ここで、前記コンテスト方法には次のような構成を採用してもよい。
１）前記投票の投票期間経過前から第３ステップの順位付けを複数回実行し、各回の順位付けの都度、少なくとも上位の１又は複数の順位をコンテストサーバーに格納し、インターネットに公開する。投票開始後の早期から順位付けを行いながら順位付けを更新していくことができる。順位付けをインターネットに公開するため、応募者や投票者にとって面白いものとなる。尚、この場合に、前記第２ステップと第３ステップとをほぼ並行的に行うことが望ましい。
２）前記応募情報はコンテスト対象が属する地区を示す地区情報を含み、前記コンテストは、複数の地区別に行う複数の１次予選コンテストから順々に、予選コンテストの上位順位者を対象としてトーナメント方式のように実行される複数段階の予選コンテストを含む。広い地域を対象とする大規模なコンテストを行うことが可能となる。尚、この場合、前記１次予選コンテスト以外の予選コンテストにおいては、予選コンテストにおける上位順位者を対象として第２ステップと第３ステップを行うことになる。
３）前記コンテスト対象が充足すべき条件は、性別、年齢、職業、大学生、高校生、中学性、趣味、スポーツ、のうちの１又は複数の項目を用いて設定される。上記の１又は複数の項目を用いてコンテスト対象を設定することにより、コンテスト対象をコンテストの目的に応じて絞り込むことができる。
４）前記応募情報は、コンテスト対象の住所、氏名、年齢、職業の情報を含む。多数のコンテスト対象の住所、氏名、年齢、職業の情報は、コンテストとは別に、種々の商品セールス等に活用可能な膨大なデータベースとなる。
５）前記コンテスト対象が女性と男性の何れか一方であり、第２ステップの応募情報は、コンテスト対象が発する音声の音声情報を含む。コンテスト対象の音声も評価対象になるので、コンテスト対象を総合的に評価可能となる。
６）前記コンテスト対象がペットである犬と猫の何れか一方である。つまり、ペットの犬又は猫についてのコンテストを簡単に経済的に行うことができる。
本発明に係るコンテストシステムは、ＷＷＷサーバーとして機能するコンテストサーバーを有し、インターネット検索用ブラウザを備え且つ画像情報を送信可能な携帯電話から応募してくる複数のコンテスト対象についてコンテストを行うコンテストシステムであって、前記コンテストサーバーは、前記コンテスト対象が充足すべき条件と応募期間を含む応募条件を格納してインターネットに公開する応募条件公開手段と、前記携帯電話からインターネットを介して応募してくるコンテスト対象の画像の画像情報とその識別情報を含む応募情報を格納してインターネットに公開する応募情報格納手段と、前記応募情報格納手段によりインターネットに公開されたコンテスト対象に対して、インターネット検索用ブラウザを備えた携帯電話から投票された投票情報を受信し、その受信した投票情報に基づいて複数のコンテスト対象について順位付けを行なう順位付け手段とを備えたことを特徴とするものである。
この発明においては、携帯電話とインターネットを介して応募して来るものがコンテスト対象となる。美人コンテスト、人気者コンテスト、商品宣伝用キャンペーンガールコンテスト、犬や猫などを対象とするペットコンテスト、種々の作品コンテストなどの種々のコンテストに、本発明を適用することができる。
前記コンテストサーバーは、応募条件公開手段と応募情報格納手段と順位付け手段とを備えている。応募条件公開手段は、コンテストへの応募条件をコンテストサーバーに格納してインターネットに公開する。応募情報格納手段は、携帯電話からインターネットを介して応募してくるコンテスト対象の画像の画像情報とその識別情報を含む応募情報を格納し、応募情報の内の画像情報を含む一部をインターネットに公開する。順位付け手段は、インターネットに公開されたコンテスト対象に対して、携帯電話から投票された投票情報を受信し、その受信した投票情報に基づいて複数のコンテスト対象について順位付けを行なう
このコンテストシステムによれば、多数の市民からコンテスト対象を募集することができるため、多数のコンテスト対象の中から優れたコンテスト対象を選択することができる。しかも、多数の一般市民からの投票を介して、彼らの目から見て優れた好ましいコンテスト対象を選ぶことができる。
ここで、前記コンテストサーバーは、前記順位付け手段による順位付けのうち、少なくとも上位の１つ又は複数の順位を格納してインターネットに公開してもよい。この場合、順位付けをインターネットに公開するため、応募者や投票者にとって興味深いものとなる。
発明を実施するための最良の形態
以下、本発明のコンテストシステムとコンテスト方法の実施形態について説明する。図１に示すように、本実施形態に係るコンテストシステム１は、ＮＴＴドコモの「ｉモード」（登録商標）の携帯電話システムを使用することを前提としたシステムである。このコンテストシステム１は、パケット通信網２と、ｉモードセンタ３と、インターネット通信網４と、これらパケット通信網２とｉモードセンタ３を介してインターネット通信網４にアクセス（接続）可能な多数の携帯電話５，６，７と、これら携帯電話５〜７との間で情報を授受可能なコンテストサーバー８などで構成される。
多数の携帯電話は、コンテストに応募する応募者の携帯電話５、コンテストに投票する投票者の携帯電話６、コンテストサーバー８のサイトを覗くだけのアウトサイダーの携帯電話７を含む。
このコンテストシステム１においては、コンテスト毎にコンテストの目的に応じて設定する応募条件を充足する多数のコンテスト対象の画像の画像情報とＩＤ番号を含む応募情報を、携帯電話５からコンテストサーバー８に登録させ、その応募情報のうちの画像情報を含む一部をコンテストサーバー８からインターネット通信網４に公開し、それらコンテスト対象に対する、携帯電話６による多数の投票の投票情報に基づいてコンテスト対象の順位付けを行ってコンテストサーバー８によってインターネット通信網４に公開する。
図１に示すように、携帯電話５〜７はパケット通信網２とｉモードセンタ３を介してインターネット通信網４にアクセス可能であり、パケット通信網２には携帯電話５〜７との間で信号を授受する基地局２ａが接続され、このパケット通信網２はｉモードセンタ３に接続されている。
インターネット通信網４は全世界にわたる通信網であり、このインターネット通信網４には、本願特有のコンテストサーバー８を含む多数の種々のサイトを開設しているサーバーやその他の機能の多数のサーバーやルーティングの為の多数のルーターが接続されているが、このインターネット通信網４は周知のものであるので詳細なその説明は省略する。
携帯電話用コントロールセンターとしてのｉモードセンタ３は、ＮＴＴドコモが「ｉモード」の携帯電話システム専用に設置したものである。このｉモードセンタ３には、インターネットに公開された携帯電話向けのサイトに関するデータベース、それらサイトのＵＲＬアドレスのデータベース、各携帯電話５〜７の電話番号付き特定アドレスのデータベース、携帯電話のユーザーデータベースなどが登録されている。ｉモードセンタ３はそれらＵＲＬアドレスに基づいて携帯電話向けのサイトへのルーティングを行い、また、電話番号付き特定アドレスに基づいて各携帯電話５〜７へのルーティング（回線接続）を行う。尚、各携帯電話５〜７における通話料金の徴収の為に携帯電話の購入時に銀行口座番号と口座関連パスワードと電話番号とがｉモードセンタ３に登録されている。
ｉモードセンタ３は、ルーティング機能の他に、アクセス管理機能、データ変換機能、通話料やショッピング代金に対して課金する課金機能を有する。そのため、ｉモードセンタ３は複数の銀行９と専用回線９ａにて夫々接続されており、その専用回線９ａを介して課金情報を送受信する。
次に、コンテストサーバー８について説明する。
図２に示すように、コンテストサーバー８はインターネット通信網４に接続されており、このコンテストサーバー８は、ＣＰＵ１０と、ＲＯＭ１１と、ＲＡＭ１２と、Ｉ／Ｏ１３（入出力インターフェース）と、ＨＤＤなどの大容量の外部記憶装置１４と、キーボード１５と、ディスプレイ１６と、インターネット通信網４に接続する為のＤＳＵ１７（ディジタル・サービス・ユニット）などで構成されている。尚、このコンテストサーバー３のサイトに関する情報およびこのサイトのホームページアドレスであるＵＲＬアドレスはｉモードセンタ３に登録されている。
前記ＲＯＭ１１には、キーボード１５やディスプレイ１６や外部記憶装置１４を制御する為の種々の制御プログラム、通信制御の制御プログラムなどが格納されている。前記ＲＡＭ１２には、前記の種々の制御の実行に必要な種々のワークメモリが適宜設けられる。
前記外部記憶装置１４には、このコンテストサイトの種々の機能を達成する為の種々の制御プログラム、ＯＳとしての例えばＷｉｎｄｏｗｓ  Ｍｅのプログラム、このＷｉｎｄｏｗｓ  Ｍｅ用の種々のフォルダ類、コンテストサイトの種々の機能を達成する為に必要な種々のフォルダ類、図８に示すコンテスト用データベースが設けられている。このデータベースについては後述する。
次に、応募者が使用する携帯電話５について説明する。
図３に示すように、この携帯電話５は、ｉモード携帯電話システムの携帯電話（ｉモードで作動する携帯電話）であって、組み込まれたディジタルカメラ２７で撮影した画像の画像情報を送信可能なものである。この携帯電話５は、信号処理部２０、ディスプレイ２１、マイクロホン２２、スピーカ２３、複数のキーを有する入力部２４であってｉモードキーを備えた入力部２４、バッテリ２５、インターネット検索用ブラウザ２６、レンズ２７ａとＣＣＤ２７ｂと画像信号処理部２７ｃなどからなるディジタルカメラ２７、送信回路２８、受信回路２９、パケット処理部としても機能する送受信分離部３０、アンテナ３１などを有し、これらは図示のように接続されている。前記信号処理部２０はマイクロコンピュータと入出力インターフェースを含むものである。尚、この種の携帯電話は周知のものであるので詳細な説明は省略する。
この携帯電話５によりパケット通信網２とｉモードセンタ３とインターネット通信網４を介してコンテストサーバー８にアクセスすることができ、コンテストサーバー８との間で情報を双方向通信可能であり、ディジタルカメラ２７で撮影した画像情報（画像データ）および種々の文字（アマファベット、数字、カタカナ、平かな、漢字）の文字情報（文字データ）をコンテストサーバー８に送信することができる。この携帯電話５については、ディジタルカメラ２７を内蔵したものを例として説明したが、コネクタを介して着脱可能に接続されるディジタルカメラを装備した携帯電話でもよい。
次に、投票者の携帯電話６とアウトサイダーの携帯電話７について説明すると、これら投票者やアウトサイダーは、画像情報をコンテストサーバー８に送信する必要がないので、本実施例の場合、これらの携帯電話６，７は、図３の携帯電話５と同様のものでもよいし、又はｉモード携帯電話システムの携帯電話（ｉモードで作動する携帯電話）であってディジタルカメラのない携帯電話でもよい。
次に、このコンテストシステム１によって実施するコンテストの一例について説明する。このコンテストは、本実施例の場合、例えば、１５歳の新入女子高校生をコンテスト対象として全国規模で行う美人コンテストである。このコンテストのスポンサーは例えば化粧品会社である。
図４に示すように、このコンテストは、１次予選コンテストである地区大会、この地区大会で選出された上位３位までの者を対象とする２次予選コンテストである大地区大会、この大地区大会で選出された上位３位までの者を対象とする３次予選コンテストである県大会、この県大会で選出された上位３位までの者を対象とする４次予選コンテストである地方大会、この地方大会で選出された上位３位までの者を対象とする最終コンテストである全国大会、の５段階にて期間を分けてトーナメント方式のように実施される全国規模のコンテストである。
地区大会は１又は複数の高校のある地区別に実施されるが、全国の多数の地区で一斉に例えば４月に実施される。大地区大会は、中小の市、大都市の区、複数の町村などを単位として実施されるもので、全国の多数の大地区において一斉に例えば５月に実施される。県大会も全国の多数の都道府県において一斉に例えば６月に実施される。地方大会も全国の１０の地方（北海道、東北、・・・九州）において一斉に例えば７月に実施される。全国大会は例えば８月に実施される。全国大会において選出された１位、２位、３位の者が金、銀、銅のメダルを授与される。地区大会へ応募できる者は、このコンテストの場合、その地区に住所を持つ１５才の女子の新入高校生に限定されるが、同一のコンテストへの応募は１人１回に限定される。地区大会のコンテスト対象に対して投票できる者はその地区に住所を持つ者に限定されないし、性別や年令や職業などの制約は一切ないものとする。但し、各段階のコンテストには１人１回に限り投票することができる。次に、コンテストサーバー８のコンテストサイトを参照する場合の画面表示例（図５参照）、そのサイトを参照してから応募する場合の画面表示例（図６参照）、そのサイトを参照してから投票する場合の画面表示例（図７参照）などについて説明する。
図５（ａ）〜（ｇ）は携帯電話５〜７のディスプレイに表示される画面表示例を示し、携帯電話５〜７の所持者がｉモードキーを操作しｉモードに設定し、サイトの項目とサイトの内容を絞り込んでいくことによりコンテストサイトを開くことができる。図５（ａ）は、コンテストサイトのトップページの画面表示例であり、この画面において「当サイトの説明」をクリックすると、図５（ｂ）に示すようなサイト説明画面になる。この説明画面には、図８に基づいて後述するような情報が表示される。
５図（ａ）の画面には、現在進行中の例えば３つのコンテストのコンテスト名が表示されており、「１５歳女子限定」をクリックすると、５図（ｃ）の画面となる。この画面には、この「１５歳女子限定」という条件と応募期間（これは、投票期間でもある）とを含む応募条件が表示されている。即ち、コンテスト対象は１５歳の女子の新入高校生であり、このコンテストは１次予選の地区大会であり、このコンテストへの応募期間は４月１日〜４月３０日であることが表示されている。
図５（ｃ）の画面において「地域検索」をクリックすることで、図５（ｄ）〜図５（ｆ）のように、地域や地区を絞り込んでいき、図５（ｇ）の画面に達すると、例えば茨木市のＢ地区における地区大会の現在の状況が表示されており、この画面の「応募する」をクリックすると図６（ａ）へ移行し、図５（ｇ）の画面の「投票する」をクリックすると図７（ａ）の画面へ移行する。尚、応募も投票もしないアウトサイダーは図５（ｇ）の画面を参照してからこのサイトを終了すればよい。
図６（ａ）〜（ｉ）は、茨木市のＢ地区における１次予選コンテストに応募する場合の画面表示例を示すものである。図６（ａ）は応募者のＩＤ番号（識別番号）を登録する画面であり、ＩＤ登録済の者は応募者のＩＤ番号を入力する。
ＩＤ未登録の場合は、図６（ｂ）の画面に移行してＩＤ登録の為に、名前、性別、住所、職業、電話番号、メールアドレスなどを入力して送信する。尚、職業には、大学生、高校生、中学生の区分も設けられる。次に、図６（ｃ）に示す画面が表示され、応募者に付与されたＩＤ番号が表示される。そのＩＤ番号の表示の下側には、例えば、このコンテストのスポンサーである企業のバナー広告が表示される。次に、次ページへ移行すると、図６（ｄ）のように現在開催中の１又は複数のコンテストのコンテスト名が表示されるので、所望のコンテストをクリックする。そこで、「１５歳女子限定」をクリックすると、図６（ｅ）の地区検索画面に移行するので、前記図５（ｄ）〜（ｆ）と同様にして地区を指定する。次に、図６（ｆ）のエントリーフォーム画面が表示され、図６（ｇ）のエントリーフォーム記入画面となるので、この画面に必要事項を入力する。
この場合、携帯電話５のディジタルカメラ２７で撮影して記憶している応募者の上半身の画像（応募するコンテスト対象の画像）の画像情報を図６（ｇ）の上部の指定領域に取込んでから「送信」をクリックすることで画像情報を送信し、次に、その他の情報を入力して送信する。その他の情報としては、名前、身長、スリーサイズ（Ｂ，Ｗ，Ｈ）、およびその他の図示のような情報である。前記の名前の情報は、画像情報を識別する識別情報に相当する。その後、図６（ｈ）の画面において、応募したことに対するお礼の意味で与えられる懸賞品を指定後、図６（ｉ）のバナー広告のある画面を経てこのサイトへのアクセスを終了する。尚、懸賞品は後日郵送される。但し、懸賞品は付与しないようにしてもよい。
次に、図７は前記の１次予選コンテスト（地区大会）に投票する場合の画面表示例であり、図６（ａ）〜（ｅ）と同様の、図７（ａ）〜（ｅ）の画面表示を介して、応募者のＩＤ番号を入力するかまたはＩＤ登録し、投票する地区を指定する。次に、図７（ｆ）に示す画面表示に移行し、最も好ましく優れていると思われる１つのコンテスト対象に投票する。この投票画面の投票対象を拡大したものが図７（ｇ）であり、画像と、名前、身長、スリーサイズ（Ｂ，Ｗ，Ｈ）、現在の順位および投票数とが表示されているので、複数の投票対象の中から１名について「投票」をクリックすることで、投票を行う。その投票の後、図７（ｈ）、（ｉ）を経て終了する。
図８に示すように、外部記憶装置１４のコンテスト用データベースには、コンテストサイトのホームページ表示データ、応募者データベース、エントリー情報データベース、投票者データベース、投票情報データベースなどが格納されている。コンテストサイトのホームページには、トップページ、サイトに関するサイト説明、開催中の１又は複数のコンテストについての説明情報、開催予定のコンテストの予告情報が記載されている。サイト説明には、コンテストへの応募方法、投票方法、応募者と投票者とが遵守すべき規約、応募料金、投票料金、課金方法などに関する説明などが含まれている。尚、応募の料金はゼロ又は低額（例えば、１回の応募につき１００円）に設定され、投票の料金はゼロ又は低額（例えば、１回の投票につき１０円）に設定される。料金を徴収する場合には、ｉモードセンタ３によりその課金機能を介して徴収され、コンテストサーバー８の取り分はコンテストサーバー８の銀行口座へ振込まれる。
応募者データベースには、コンテストに応募した応募者についての種々の情報（例えば、図６（ｂ）に示すような情報）が、コンテスト別に区分して格納されている。コンテストの種類によっては、応募者を、地方別、府県別、大地区別、地区別に分類して格納される。応募者データベースにおける各応募者のデータは、受信データと、公開に供する公開用データとに区分して格納される。
エントリー情報データベースは、応募してきたコンテスト対象についての種々の情報（例えば、図７（ｇ）に示すような情報）が、応募者別に区分して格納されている。エントリー情報には、コンテスト対象の画像の画像情報とその識別情報とが含まれている。コンテストの種類によっては、応募者を、地方別、府県別、大地区別、地区別に分類して格納される。エントリー情報データベースにおける各コンテスト対象のデータは、受信データと、公開に供する公開用データとに区分して格納される。尚、応募者から受信する応募者とコンテスト対象に関する全ての情報が応募情報に相当するものであり、応募情報の内の、コンテスト対象の画像の画像情報とその識別情報（本実施例の場合は、応募者の氏名など）を含む一部（例えば、図７（ｇ）に示す情報）がコンテストサーバー８からインターネット通信網４に公開される。
投票者データベースには、投票した投票者についての種々の情報（例えば、、図７（ｂ）に示す情報）が、コンテスト別に区分して格納されている。コンテストの種類によっては、応募者を、地方別、府県別、大地区別、地区別に分類して格納される。投票情報データベースには、投票についての種々の情報（例えば、コンテスト対象を特定する情報と、投票した旨の情報）が、投票者別に区分して格納されている。コンテストの種類によっては、投票者を、地方別、府県別、大地区別、地区別に分類して格納される。投票情報データベースにおける投票情報のデータは、受信データと、公開に供する公開用データとに区分して格納される。尚、インターネット通信網４からの受信情報やインターネット通信網４への送信情報はＨＴＭＬをコンパクト化したｉモード対応ＨＴＭＬにて既述されており、図８に示すコンテスト用データベースのデータも、ｉモード対応ＨＴＭＬにて既述されている。
次に、携帯電話５〜７からコンテストサイトを参照したり、応募したり、投票したりする場合に、携帯電話側で実行する処理について、図９に基づいて簡単に説明する。但し、この図９の処理は実際にはコンテストサーバー８と双方向通信しながら実行する処理であるが、その詳細については省略する。
携帯電話５〜７の電源オンで制御が開始され、ｉモードキーを操作してｉモードが設定され（Ｓ１）、次にコンテストサイトを検索し（Ｓ２）、次にコンテストサイトのトップページを参照し（Ｓ３）、次に必要に応じてコンテストサイト説明画面を参照し（Ｓ４）、次にコンテスト名を指定する（Ｓ５）。次に本実施例のコンテストの場合、コンテスト地区を指定し（Ｓ６）、次に現在のランキング画面（例えば、図５（ｇ）参照）を参照する（Ｓ７）。
応募者の携帯電話５の場合には、Ｓ８の判定がＹｅｓとなるため、図１０のフローチャートに移行する。つまり、図１０のフローチャートは応募者の携帯電話５において実行される処理である。この図１０の処理も実際にはコンテストサーバー８と双方向通信しながら実行する処理であるが、その詳細については省略する。図１０に示すように、最初に図６（ａ）に示すような応募者登録画面を表示し（Ｓ１０）、次に図６（ｂ）に示すような応募者情報を送信し（Ｓ１１）、次にＩＤ番号を取得し（Ｓ１２）、次に応募対象のコンテスト名を指定し（Ｓ１３）、次に応募する地区を指定し（Ｓ１４）、次にエントリーフォームに基づいて応募情報の一部としての応募するコンテスト対象の画像情報を送信する（Ｓ１５）。次に、図６（ｇ）に示すようなその他の応募情報を送信し（Ｓ１６）、次に図６（ｈ）（ｉ）に示すような付随画面を参照してから電源をオフにしたりこのサイトへのアクセスを終了すると制御が終了する（Ｓ１６、Ｓ１７）。
一方、投票する者の携帯電話６により、図９のフローチャートが実行されると、Ｓ８の判定がＮｏとなるため、図１１のフローチャートへ移行する。図１１に示すように、投票者登録画面（例えば、図７（ａ）参照）が表示され（Ｓ２０）、次に図７（ｂ）に示すような投票者情報が送信され（Ｓ２１）、次にＩＤ番号を取得し（Ｓ２２）、次に投票対象のコンテスト名を指定し（Ｓ２３）、次に応募する地区を指定し（Ｓ２４）、次に投票画面を参照して投票を実行し（Ｓ２５）、その後付随画面を参照（Ｓ２６）してから電源をオフにしたりこのサイトへのアクセスを終了すると制御が終了する。
次に、コンテストサーバー８において実行する処理の概略について、図１２のフローチャートに基づいて簡単に説明する。この処理も実際には、携帯電話５〜７と双方向通信しながら実行される処理であるが、その詳細については説明を省略する。最初に、応募者の携帯電話５と双方向通信しながら、応募者へＩＤ番号を付与し（Ｓ３０）、次に応募者情報を受信してそれを応募者データベースに格納する（Ｓ３１）。次に、応募者の携帯電話５からエントリー情報（応募情報）を受信してそれをエントリー情報データベースに格納する（Ｓ３２）。
次に、応募者とは別の投票者の携帯電話６からの投票がある場合には、携帯電話６と双方向通信しながら、投票者にＩＤ番号を付与し（Ｓ３３）、次に投票者情報を受信して、それを投票者情報データベースに格納する（Ｓ３４）。次に、投票情報を受信してそれを投票情報データベースに格納する（Ｓ３５）。
次に、最新の投票情報に基づいて多数の地区大会の各々におけるコンテスト順位を演算する（Ｓ３６）。この順位付けは各地区の応募者の全員に対して行う。
また、コンテスト期間中には、応募者の数も増加していくし投票者の数も増加していくので、前記の順位付けは、コンテスト期間中から期間経過直後にかけて適当時間おきに繰り返し実行する。
この実施例の地区大会の場合、全国の多数の地区大会のコンテストにおいて夫々順位付けを行なうが、このことは、大地区大会、県大会、地方大会においても同様である。次に、エントリーデータベースの該当する位置に順位データを格納し、或いは順位データを更新し（Ｓ３７）、その後上位３位までの順位をインターネット上に公開する（Ｓ３８）。但し、全ての順位を公開してもよい。
ここで、前記の地区大会のコンテストが終了すると、全国の多数の地区大会の各々における上位の３名（但し、１名でもよく、２名でもよい）だけが、該当する大地区大会の応募者に自動的に選出されてインターネット通信網４に公開され、それら応募者に対して再度前記と同様の携帯電話６からの投票を例えば５月１日から５月３１日の間に実施して多数の大地区大会の各々における順位付けを行なう。次に、多数の大地区大会の各々における上位の３名だけが、該当する県大会の応募者に自動的に選出されてインターネット通信網４に公開され、前記と同様に、それら応募者に対して再度前記と同様の携帯電話６からの投票を例えば６月１日から６月３０日の間に実施して県大会における順位付けを行なう。以下同様に、地方大会、全国大会を行うものとする。
以上のように、前記コンテストサーバー８は、コンテスト対象が充足すべき条件と応募期間を含む応募条件を格納してインターネット通信網４に公開する応募条件公開手段と、携帯電話５からインターネット通信網４を介して応募してくるコンテスト対象の画像情報とその識別情報を含む応募情報を格納してインターネット通信網４に公開する応募情報格納手段と、この応募情報格納手段によりインターネット通信網４に公開されたコンテスト対象に対して、携帯電話６から投票された投票情報を受信し、その受信した投票情報に基づいて複数のコンテスト対象について順位付けを行なう順位付け手段とを有するものである。
以上説明したコンテスト方法によれば、インターネットにアクセス可能な携帯電話を有効活用することにより、大規模なコンテストを簡単に経済的に迅速に行うことができる。このコンテストでは、一般の市民の中から多数の応募者が参加してくれるので、多数の応募者の中から１乃至複数の上位入賞者を選出することができるから、一般市民の中からコンテストの目的に合った種々の人材を発掘することが可能となる。
また、コンテストへの投票は、一般の市民により行うため、一般の市民の目から見て優れた者や好ましい者を選出することができるから、その選出された上位順位者は一般の市民に広く受入れられやすい。
広く普及しつつあるディジタルカメラ付き携帯電話５を有効活用し、携帯電話５からコンテスト対象の画像の画像情報をコンテストサーバー８に送信する方法を採用したため、コンテスト対象の画像を視覚的に正確に把握できるから、コンテストに最適であり、手軽に簡単に応募や投票を行うことができるから、多数の応募や投票を期待することができ、コンテストの信頼性を格段に高めることができる。
また、性別、年齢、職業（大学、高校、中学の区分を含む）、趣味、スポーツなどの項目のうちの１又は複数の項目でもって応募条件を適切に設定することにより、絞り込んだ範囲のコンテスト対象に応募を認めて、コンテストを行うことができるから、コンテストの目的を達成し易くなる。例えば、化粧品の宣伝のキャンペーンガールを簡単に経済的に短期間で探すことが可能となる。このようなコンテストを大規模に実施することにより、歌手、アイドルギャル、タレント、テレビドラマの俳優や女優、美人、種々の商品宣伝のキャンペーンキャクターを全国の多数の対象者の中から高い信頼性でもって選出することができる。
また、応募者情報、投票者情報などの情報をコンテストサーバー８に蓄積していくことができるので、コンテスト終了後に、それらの人々に対して、Ｅメール等で種々の商品宣伝やセールスをかけることが可能となる。つまり、コンテストサーバー８に蓄積された膨大な情報は、種々の用途に使うことができる。
また、このコンテストは、人やペットだけをコンテスト対象とする訳ではなく、開発予定の複数種の商品や、発売予定の複数種の商品をコンテスト対象として、大規模なマーケッティング調査の為のコンテストを行うこともできるから、その商業的、経済的有用性は多大である。
次に、以上説明したコンテスト方法やコンテストシステムを部分的に変更する種々の変更形態について説明する。
１）前記携帯電話５から送信するコンテスト対象の画像は、コンテスト対象の上半身の画像に限らず、コンテスト対象の顔の画像、全身の画像であってもよい。コンテスト対象の画像は１つの画像に限定されるものではなく複数の画像でもよい。それ故、顔の画像と上半身の画像でもよく、顔の画像と上半身の画像と全身の画像でもよい。
また、サーバーコンテスト８からインターネット通信網４に公開する情報は、コンテスト対象の名前を公開せずに画像情報とＩＤ番号に限定してもよいが、少なくともコンテスト対象の画像の画像情報だけ公開すればよい。各画像情報とＩＤ番号や名前との関係は、コンテスト用データベースにおいて対応付けられているため、コンテスト対象の名前やＩＤ番号は必ずしも公開しなくともよい。
また、コンテスト対象の画像は、静止画像の画像情報であってもよく、動画の画像情報であってもよい。
２）コンテスト対象が充足すべき条件としては、前記の例に限定される訳ではなく、性別、年令、職業（大学生、高校生、中学性の区分を含む）、趣味、スポーツ、食品についての好み、などの項目のうちの１又は複数の項目を用いてコンテストの目的に応じて適宜設定するようにしてもよく、その他の項目（身長、体重、髪の色、血液型、生年月日、星占い、干支、その他）で限定して設定することもできる。
３）コンテスト対象が人である場合には、コンテスト対象の画像の画像情報に加えて、コンテスト対象者が所定の台詞を喋ったり、所定の歌の全部又は一部を歌ったりした音声情報もコンテストサーバー８の応募情報データベースに格納してインターネット上に公開し、画像と音声とを総合評価するコンテストを行うように構成することも可能である。
４）前記コンテストの目的に応じて、投票できる者についても投票条件を設定しておいて、投票条件を充足する投票者だけに投票を許可するように構成してもよい。例えば、所定の年齢層の女性だけに投票を許したり、大学生又は高校生又は中学生だけに投票を許したり、所定の職業の女性又は男性にのみ投票を許したりすることにより、コンテストの目的に適した投票を行なわせることができる。
５）コンテストを行う対象地域は、全国規模に限定される訳ではなく、例えば、応募者及び／又は投票者を特定地域（例えば、近畿地方、又は大阪府、又は茨木市、など）に限定したコンテストを行うことも可能である。コンテストは前記実施例のような複数段階のコンテストにならない場合もあり、１段階のコンテストで終了する場合もある。また、コンテストは、日本国内だけで行うとは限らず、複数の国にわたって行われるコンテストもある。
６）コンテスト対象は人である必要はなく、犬や猫などのペットをコンテスト対象にしてもよい。
７）コンテスト対象は人やペットに限らず、絵画、書道の作品、版画、生け花、盆栽、釣った魚、などの作品乃至作品に準ずる物をコンテスト対象とするコンテストも実施可能である。
８）前記の実施形態では、コンテスト対象を一般市民からの携帯電話５による応募により募集したが、コンテストのスポンサーから提供される複数のコンテスト対象についてコンテストを行うことも可能である。
例えば、発売中や発売予定（開発中）の複数種の商品について、消費者の好みを調査する為のコンテストを行うことができる。この場合、それら複数のコンテスト対象である商品の画像をコンテストサーバー８からインターネット通信網４へ公開し、携帯電話６からの投票情報に基づいて複数のコンテスト対象について順位付けを行う。
或いは、所定の選挙区における選挙に先立って最適の立候補者を決定する際に、複数の立候補予定者をコンテスト対象として、インターネット通信網４に公開し、それら複数の立候補予定者に対する有権者からの投票の投票情報に基づいて順位付けを行なうことで、最適の１名の立候補予定者を決定することができる。
９）前記実施形態は、ＮＴＴドコモのｉモード携帯電話システムを活用する場合を例として説明した。しかし、本願のコンテスト方法およびコンテストシステムは、Ｊ−フォンの「Ｊ−ＳＫＹ」（登録商標）或いはＤＤＩセルラーなどの「ＥＺｗｅｂ」の携帯電話システムであってインターネット通信網にアクセス（接続）可能な携帯電話システムを活用する場合にも同様に本願の発明を適用可能である。その他の将来実用化される携帯電話システムであってインターネットにアクセス可能な携帯電話システムを活用する場合にも、同様に本願の発明を適用可能である。
また、前記の実施形態では、携帯電話５，６を用いる場合を例として説明したが、携帯電話５，６と同等の機能のある携帯端末を用いて応募や投票を行うことも可能であることは勿論である。また、前記実施形態の携帯電話５は、ディジタルカメラ２７を備えた携帯電話、或いは、コネクタを介して着脱可能なディジタルカメラを備えた携帯電話である場合を例して説明したが、画像の画像情報を記憶したメモリスティックを装着して画像情報を送信可能な携帯電話や携帯端末も、前記携帯電話５の代わりに適用可能である。
【図面の簡単な説明】
図１は本発明の実施形態に係るコンテストシステムの構成図であり、図２はディジタルカメラ付き携帯電話の構成を示すブロック図であり、図３はコンテストサーバーの構成を示すブロック図であり、図４はあるコンテストのトーナメント構造の説明図であり、図５（ａ）〜（ｇ）は携帯電話のディスプレイへの表示例であって、コンテストサーバーのコンテストサイトのトップページ画面とそのトップページに続く複数の表示画面の表示例を示す説明図であり、図６（ａ）〜（ｉ）は携帯電話のディスプレイへの表示例であって、コンテストに応募する場合に表示される複数の表示画面の表示例を示す説明図であり、図７は（ａ）〜（ｉ）は携帯電話のディスプレイへの表示例であって、コンテストに投票する場合に表示される複数の表示画面の表示例を示す説明図であり、図８は外部記憶装置のコンテスト用データベースの概略構造を示す説明図であり、図９はコンテストサイトのトップページから現在のランキングまでを参照するまでに携帯電話で実行する処理などを示すフローチャートであり、図１０はコンテストサイトを開いてコンテストに応募する場合に、応募者登録からエントリー手続きまでに携帯電話で実行する概略フローチャートであり、図１１はコンテストサイトを開いてコンテストに投票する場合に、投票者登録から投票画面までに携帯電話で実行する概略フローチャートであり、図１２はコンテストサーバーで実行される処理の概略フローチャートである。
【図１】
2002091259.tif 000003
【図２】
2002091259.tif 000004
【図３】
2002091259.tif 000005
【図４】
2002091259.tif 000006
【図５】
2002091259.tif 000007
【図６】
2002091259.tif 000008
【図７】
2002091259.tif 000009
【図８】
2002091259.tif 000010
【図９】
2002091259.tif 000011
【図１０】
2002091259.tif 000012
【図１１】
2002091259.tif 000013
【図１２】
2002091259.tif 000014
【国際調査報告】
2002091259.tif 000015
2002091259.tif 000016
2002091259.tif 000017
2002091259.tif 000018